(57)【特許請求の範囲】
【請求項１】
表示手段と、撮像手段とを保持する第１のケースと、
入力手段を保持する第２のケースと、
上記第１のケースを上記第２のケースに対して回動せしめ、かつ、上記回動軸方向が上記表示手段の表示面に略垂直である支持部と、
を有し、
上記撮像手段の受光手段の長辺と上記表示手段の長辺とが、略平行であること
を特徴とする携帯情報端末。
【請求項２】
第１のケースは、支持部の回動軸とは離隔した位置に、撮像手段の撮像光軸を有し、
上記撮像手段は、表示手段の表示面の裏面側に配置されること
を特徴とする請求項１記載の携帯情報端末。
【請求項３】
第１のケースと第２のケースとが、支持部を介して連結されたものであること
を特徴とする請求項１又は２に記載の携帯情報端末。
【請求項４】
第１のケースと第２のケースとが、支持部、第３のケース及びヒンジ部を介して連結されたものであって、
上記ヒンジ部は、上記第２のケースと上記第３のケースとを連結するものであり、
上記支持部は、更に、上記第３のケースを支持するものであること
を特徴とする請求項１又は２に記載の携帯情報端末。
【請求項５】
第１のケースは、その長辺を第２のケースの長辺に対して略９０°の位置まで回動され、停止されること
を特徴とする請求項１乃至４のいずれか１項記載の携帯情報端末。
【請求項６】
第１のケースは、その長辺を第２のケースの長辺に対して略１８０°の位置まで回動され、停止されること
を特徴とする請求項１乃至５のいずれか１項記載の携帯情報端末。
【発明の詳細な説明】
【０００１】
【発明の属する技術分野】
本発明は、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｅｇｉｔａｌ  Ａｓｓｉｓｔａｎｃｅ）等の携帯情報端末に関するものである。
【０００２】
【従来の技術】
近年、携帯電話等の携帯情報端末は、急激な利用増に伴い、機能面、構造面等において技術革新が著しく行われている。
携帯情報端末の機能面での改良を加えたものとして、特開２０００−３３３１４８号公報には、縦型ボディの上部に設けられた撮像手段と、スピーカー、操作部及び表示部とを備えた携帯テレビ電話端末が開示されている。
【０００３】
上記特開２０００−３３３１４８号公報に記載された、撮像手段を備えた携帯情報端末を図２２に示す。筐体１０１の正面側の上部に撮像手段１０２が設けられており、該撮像手段１０２によって画像が撮影されるようになっている。また、表示手段１０３の下方側には操作用の複数の入力手段１０４が設けられており、該入力手段１０４を押下することにより、各種の操作を行うことができるようになっている。
【０００４】
一方、携帯情報端末の構造面での改良を加えたものとして、特開２００１−１６５１４４号公報には、折りたたむときの操作性の向上を目的とした、操作キー側筐体と表示部を有する表示部側筐体とこれらを連結するヒンジとを有する折りたたみ型携帯電話機が開示されている。
【０００５】
上記特開２００１−１６５１４４号公報に記載された、折りたたみ型携帯情報端末を図２３に示す。固定側筐体である入力手段側筐体１０５と、可動側筐体である表示手段側筐体１０６と、互いに回動するように入力手段側筐体１０５と表示手段側筐体１０６とを連結するヒンジ１０７とを有する。矢印Ａは表示手段側筐体１０６が入力手段側筐体１０５に対して開く方向である。矢印Ｂは、入力手段側筐体１０５が表示手段側筐体１０６に対して折りたたまれる方向である。
【０００６】
【発明が解決しようとする課題】
上述のような従来の携帯情報端末においては、一般的に、図２２及び図２３において示したように縦長の表示手段１０３が使われているため、撮像手段が装備されている場合、表示手段１０３の表示エリアにあわせて撮影画像を表示すると縦に長い画像が得られる。しかし、銀塩写真やディジタル撮像手段等では横に長い画像も多用されているため、ユーザーにとって縦長の画像しか表示できないことは、撮影対象が限定される等利便性に劣るものであった。更に、撮像素子については、上記の表示手段１０３の表示エリアに合わせて縦長であるため、縦長に撮影したものを横長の画像として表示させると、撮像画素数が間引かれて解像度の低下した画像となったり、画像の一部がカットされたりする等の不都合があった。
【０００７】
一方、電子メール等の文字情報については、図２２及び図２３において示したように、従来の携帯情報端末においては縦長の表示手段１０３で表示させることが一般的である。
【０００８】
また、銀塩撮像手段及びディジタル撮像手段には、一般的にレンズを保護するためのカバーを備えているが、一方、近年実際に商品化されている携帯情報端末における撮像手段にはその機能がないため、携帯時にレンズ部が汚れたり、傷ついたりする恐れがある。
【０００９】
本発明は、上述のような課題を解消するためになされたもので、簡単な構成で、ユーザーが表示手段の表示形式（縦長、横長）を選択することができ、かつ、撮像手段のレンズ部を部品数を追加することなく携帯時の汚れや傷から保護することができる携帯情報端末を提供することを目的とするものである。
【００１０】
【課題を解決するための手段】
本発明は、
表示手段と、撮像手段とを保持する第１のケースと、
入力手段を保持する第２のケースと、
上記第１のケースを上記第２のケースに対して回動せしめ、かつ、上記回動軸方向が上記表示手段の表示面に略垂直である支持部と、
を有し、
上記撮像手段の受光手段の長辺と上記表示手段の長辺とが、略平行であること
を特徴とする携帯情報端末である。
【００１８】
【発明の実施の形態】
実施の形態１．
図１及び図２は、本発明の実施の形態１における携帯情報端末の構成を示すものである。
図１は、本発明の実施の形態１における携帯情報端末の第１のケース及び第２のケースが略重ね合わされた状態を示す外観図であり、図２は、その分解斜視図である。
【００１９】
図１及び図２において、１１は表示手段８を備えた第１のケースで、扁平で略直方体に形成されている。上記表示手段８は、第１のケース１１及び第２のケース１７が重ね合わされた状態においても表示内容を確認することができるように、携帯情報端末の外面に配置されている。
【００２０】
図１及び図２において、１７は、電話や電子メール機能を行うための操作キー、画像データの通信や編集機能を行うための操作キー等からなる複数のボタン等で構成された入力手段１９を備えた第２のケースである。上記入力手段１９は、携帯時の誤入力を防止する点から、携帯情報端末の内面側に配置されている。
【００２１】
上記第２のケース１７の外形は、上記第１のケース１１の外形と略同等に形成されている。ただし、上記第１のケース１１及び第２のケース１７が重ね合わされた状態から第１のケース１１を回動していく場合の操作性を向上させる目的で、ユーザーの手の指先が入る大きさのこじあけ用凹部が、第１のケース１１及び／又は第２のケース１７の縁に設けられていてもよい。更に、後述する第３の状態においては第１のケース１１と第２のケース１７とは厚み方向に段差が生じているが、この段差を減少させてよりフラットに近くしたり、また、表示手段８を見やすくするために厚み方向に角度を付ける等の設計変更は可能である。
【００２２】
図１及び図２において、２１は上記第１のケース１１に設けられた受話手段、２２は上記第２のケース１７に設けられた送話手段である。通話時を考慮して、受話手段２１と送話手段２２とは互いに離隔しており、特に受話の効率の点から、受話手段２１は、第１のケース１１における回動軸２３から離隔した位置に設けられている。上記送話手段２２は、第２のケース１７における入力手段１９近傍に設けられている。
【００２３】
図２において、２３は、上記第１のケース１１を上記第２のケース１７に対して回動せしめる支持部の回動軸である。本発明において、第１のケース１１を第２のケース１７に対して回動せしめるとは、第２のケース１７を静止させた状態において第１のケース１１を回動せしめることができればよいことを意味するものであり、第１のケース１１と第２のケース１７との位置関係は問わない趣旨である。従って、第１のケース１１と第２のケース１７とが支持部のみを介している場合のみならず、後述する実施の形態３に示したように、第１のケース１１と第２のケース１７とが他の部材をも介するために空間的に離れた状態で第１のケース１１が回動する場合をも含む。
【００２４】
上記回動軸２３の方向は、上記表示手段８の表示面に略垂直である。本発明において、表示手段８の表示面に略垂直とは、第１のケース１１の厚みが一様ではない場合には、表示手段８の表示面に厳密に垂直とはならない場合をも含むことを意味するものである。
【００２５】
上記支持部の回動軸２３は、上記第１のケース１１と上記第２のケース１７とが略重ね合わされた状態において、第２のケース１７の入力手段１９とは離隔した位置であって、第２のケース１７の長辺方向に偏在した位置に構成されている。短辺方向における上記支持部の回動軸２３の位置については、後述する第３の状態における携帯情報端末自体の形状を考慮して、中央付近に位置させる。
【００２６】
上記第１のケース１１は、更に、撮像手段９を有するものである。上記撮像手段９は、携帯時の傷・汚れ等の防止のために、第１のケース１１及び第２のケース１７が略重ね合わされた状態において該第２のケース１７が撮像手段９の蓋の役割をすることができるように、表示手段８の表示面の裏面側に配置する。なお、図面において、点線は、裏面側に据え付けられていることを示す。上記撮像手段９としては、ＣＣＤ（Ｃｈａｒｇｅ  Ｃｏｕｐｌｅｄ  Ｄｉｏｄｅ）カメラ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサー等を挙げることができる。
【００２７】
上記撮像手段９は、更に、後述する第２の状態及び第３の状態において撮影が可能となるように、支持部の回動軸２３とは離隔した位置に、撮像手段９の撮像光軸２９を有するように設置される。上記撮像手段９の撮像光軸２９は、第１のケース１１の短辺上の中央付近でなくても偏在した位置でもよく、第１のケース１１が９０°及び１８０°と回動したときに撮影が可能となる位置であれば特に限定されない。
【００２８】
上記撮像手段９については、図３に示すように、上記撮像手段９の受光手段、即ち、撮像素子９ｃの撮像エリア９ｄの長辺が、上記表示手段８の表示エリア８ａの長辺と略平行になるように配置されている。これによって、撮像画素数を間引くことなく、撮像手段９により撮像されたほぼ全ての画像を表示手段８の表示エリア８ａに表示することができる。
【００２９】
この携帯情報端末の動作について、図４〜図６を用いて説明する。
図４は、携帯情報端末において第１のケース１１及び第２のケース１７が略重ね合わされた状態、即ち、第１のケース１１の長辺と第２のケース１７の長辺との開き角が略０°である状態を示す正面図である。これを第１の状態とする。上記第１の状態においては、携帯情報端末には、待ち受け画面が表示されることとなる。
【００３０】
本発明の実施の形態１では、第１の状態においても、表示手段８の表示面を見ることができるため、携帯情報端末を回動することなく多くの着信情報を容易に確認することができる。また、撮像手段９及び入力手段１９が外面に露出していないため、携帯時の撮像手段９の傷・汚れを防止できると共に、入力手段１９の誤入力も防止できる。
【００３１】
図５は、第１のケース１１の長辺を第２のケース１７の長辺に対して、α方向に略９０°回動した状態（第２の状態）を示す正面図である。この第２の状態においては、携帯情報端末は、表示手段８を横長にて表示させる。
図５には、第１のケース１１を第２のケース１７に対して時計回りに回動する場合を示したが、ユーザーの利き手の相違によって、反時計回りに回動するものであってもよい。
【００３２】
上記第２の状態においては、入力手段１９は、第１のケース１１に一部隠されていて、撮影するための操作キー及び撮影された画像データの通信や編集処理を行うための操作キーが少なくとも露出していればよい。また、全ての入力手段が露出していて、文字情報等も入力することができるようになっていてもよい。更に、用途がＰＤＡ等の場合には、入力手段１９にスライド機構を付して、所望により入力手段１９を外面に露出するようにすることも可能である。
【００３３】
上記撮影するための操作キーは、携帯時の誤入力を防止する観点から、入力手段１９の一部が割り当てられていてもよいし、また、入力手段１９とは別個の位置に配置されていてもよい。上記第２の状態や後述する第３の状態においてキー操作できる位置であれば配置可能であり、例えば、第２のケース１７や第１のケース１１の側面部に備えられていてもよい。ただし、この場合には、上記第１の状態において、撮影するための操作キーが誤作動しないように制御されていることが好ましい。
【００３４】
上記第２の状態の携帯情報端末においては、支持部の回動軸２３と撮像手段９の撮像光軸２９とが離隔して、撮像手段９が表示手段８の表示面の裏面側に配置されているため、撮像光軸２９が表示手段８の表示面の裏面側から露出し、Ｚ方向の撮影が可能となる。
【００３５】
また、携帯情報端末本体を傾けることなく、第１のケース１１を回動させ横長に表示させることができるので、撮影画像等の従来から横長表示が多用されている使用法を実現することができる。
【００３６】
また、第１のケース１１の表示手段８の表示エリア８ａの長辺と撮像手段９の撮像エリア９ｄの長辺とが略平行に配置されているので、撮像画素数を間引くことなく、撮像手段９により撮像されたほぼ全ての画像を表示手段８の表示エリア８ａに表示することができる。
【００３７】
図６は第１のケース１１の長辺を第２のケース１７の長辺に対して、α方向に更に略９０°回動した状態、即ち、上記第１の状態から１８０°回動している状態（第３の状態）を示す正面図である。上記第３の状態においては、携帯情報端末は表示手段８を縦長にて表示させる。
【００３８】
上記第３の状態の携帯情報端末においては、支持部の回動軸２３と撮像手段９の撮像光軸２９とが離隔して、撮像手段９が表示手段８の表示面の裏面側に配置されているため、撮像光軸２９が表示手段８の表示面の裏面側から露出し、Ｚ方向の撮影が可能となる。
【００３９】
また、携帯情報端末本体を傾けることなく、第１のケース１１を回動させて縦長に表示させることができるので、文字情報等、従来の携帯情報端末において縦長表示が多用されている使用法を実現することができる。
また、撮像手段９を使用する際、横長撮影、縦長撮影での切り替えに伴って、撮影された画像を画像メモリ上で画像処理によってローテーションさせる必要がなく、利便性が高い。
【００４０】
また、第１のケース１１の表示手段８の表示エリア８ａの長辺と撮像手段９の撮像エリア９ｄの長辺とが略平行に配置されているので、撮像画素数を間引くことなく、撮像手段９により撮像されたほぼ全ての画像を表示手段８の表示エリア８ａに表示することができる。
【００４１】
更に、第２のケース１７上の入力手段１９以外のスペースであって、第１のケース１１と第２のケース１７とが重なっている部分、即ち、支持部付近には、音楽鑑賞や着信報知音発信等のためのスピーカー、及び／又は、アンテナ等を設置することにより、他の機能を付加することができる。この場合、特に所望の着信報知音を発することを目的としてスピーカーを設置する場合には、携帯情報端末の外面側にスピーカーを設置することができる。
【００４２】
次に、携帯情報端末の構造の詳細について、図７〜図１１を用いて説明する。図７は、携帯情報端末の支持部６の構成を示す分解斜視図である。図７において、１はベース、２は板金部材、３はローテータ、４はｅ-リング、５はＦＰＣ（Ｆｌｅｘｉｂｌｅ  Ｐｒｉｎｔ  Ｃａｂｌｅ）である。
【００４３】
上記ベース１には３箇所の溝１ａと２箇所の穴１ｂとが設けられ、該溝１ａには上記板金部材２の３箇所の矩形凸部２ａが各々嵌合し、ベース１に対して固定されている。
【００４４】
この板金部材２は、弾性力を有する板バネからなるものであり、ｅ-リング４の方向に凸である３箇所の球形凸部２ｂ、２ｃ、２ｄが設けられていて、ローテータ３のα方向の所定の停止位置（０°、９０°、１８０°）に応じて、ｅ-リング４のＶ字溝４ａに落ち込み、上記所定の停止位置に回動停止する構成となっている。
【００４５】
この場合、第１のケース１１の所定の停止位置に応じて回動停止することができればその機構については特に限定されず、図７に示したような、第１のケース１１の所定の停止位置に応じて、板バネ上に設けられた突起とＶ字溝とを利用するものが挙げられる。従って、図７にはｅ-リング４にＶ字溝４ａを設けた形態を示したが、ｅ-リング４とともに回動するローテータ３の方にＶ字溝を設けることもできるし、また、突起を有する板バネを回動させ、Ｖ字溝を固定側に配置させることも可能である。このような機構によって、ユーザーは、第１のケース１１の所定の停止位置に応じてクリック感を感じて、位置の停止を確かめることができる。
【００４６】
ｅ-リング４は、矩形凸部４ｂと２箇所の爪部４ｃとで、ローテータ３の溝部３ａに固定される。ローテータ３は、軸部３ｂが中空となっており、この中空内にＦＰＣ５が配設される。ＦＰＣ５は、第１のケース１１の回動によって生じる長さの差を吸収することができるように、回巻された構造を有している。上記ＦＰＣ５は、携帯情報端末の小型化に適合するものであるが、導通を実効ならしめるものであれば特に限定されず、用途や形態等に応じてリード線等も用いることができる。
【００４７】
図８は、携帯情報端末の第１のケース１１及び第２のケース１７が略重ね合わされた状態での分解斜視図である。図８において、７は第１の基板であり、基板表面には表示手段８等が実装され、基板裏面には撮像手段９、第１のコネクタ１０等が実装されている。上記撮像手段９は、レンズ９ａ、レンズホルダ９ｂ、撮像素子９ｃとで構成される。また、上記表示手段８としては、液晶、有機ＥＬ等を挙げることができる。
【００４８】
上記第１の基板７は、第１のケース１１に収納、固定され、第１のケースカバー１２によって蓋をされている。また、第１のケースカバー１２には、支持部６のローテータ３の軸部３ｂを挿通せしめる穴１２ａと、撮像手段９の撮像光軸２９を通過せしめる開口部となる穴１２ｂとが離隔するように配置されている。
【００４９】
第１の基板７には、２箇所の穴７ａが設けられ、支持部６のローテータ３の２箇所の穴６ｂを介して第１のケースカバー１２の２箇所のメネジ部１２ｃに第１のネジ２０ａにて、各々螺合されることで、第１のケースカバー１２に対して支持部６のローテータ３及び第１の基板７が固定される。また、ＦＰＣ５の第１の端部６ｃは、第１の基板７の第１のコネクタ１０に接続される。
【００５０】
１３は第２の基板であり、第２のコネクタ１４、第１のスイッチ１５、第２のスイッチ１６等が実装されている。上記第２の基板１３は、第２のケース１７に収納、固定され、第２のケースカバー１８によって蓋をされている。また、第２のケースカバー１８には、支持部６のローテータ３の軸部３ｂを挿通せしめる穴１８ａと、２箇所のメネジ部１８ｂ及び入力手段１９とが設けられている。
【００５１】
図７中の支持部６のベース１は、第２のネジ２０ｂにて第２のケースカバー１８に固定されている。また、ＦＰＣ５の第２の端部６ｄは、第２の基板１３の第２のコネクタ１４に接続される。
【００５２】
上記のように構成された携帯情報端末において、上記第１の状態は、図９のようにｅ-リング４のＶ字溝４ａに板金部材２の球形凸部２ｂが接触、上記板金部材２がたわみ、押圧することで、第１のケース１１を所定の停止位置に停止させる。また、支持部６のローテータ３に設けられた扇形の凸部６ｆは、第１のスイッチ１５を押下している。
【００５３】
上記第１の状態においては、第１のスイッチ１５はＯＮ、第２のスイッチ１６はＯＦＦとなっており、表１に示すように携帯情報端末は、待ち受け状態となり、待ち受け画面が表示されることとなる。表１中のＯＮ及びＯＦＦは、第１のスイッチ１５並びに第２のスイッチ１６のＯＮ及びＯＦＦの組み合わせによって、第１の状態、第２の状態及び第３の状態を判別することができるものであれば、入れ替えや組み合わせは自由に設定可能である。
【００５４】
【表１】
0003770146.tif 000002
【００５５】
この場合、第１のケース１１の所定の停止位置に応じて第１の状態、第２の状態及び第３の状態が制御されていればそのスイッチ機構については特に限定されず、図９〜図１１に示すような、第１のケース１１の停止位置に応じてローテータ３の突起とスイッチとを利用するものが挙げられる。更に、スイッチを使用せずに、ローテータ３に２つ以上の突起を設け、第１のケース１１の停止位置に応じて、基板１３上にその２つ以上の突起と接するような電気的導通部分を設けることによって、制御する方法であってもよい。
【００５６】
上記第１の状態から、第１のケース１１の長辺を第２のケース１７の長辺に対してα方向に略９０°回動した状態である第２の状態の場合には、図１０に示すようにｅ-リング４のＶ字溝４ａが、板金部材２の球形凸部２ｃと接触、上記板金部材２がたわみ、押圧することで、第１のケース１１を所定の停止位置に回動停止させる。
【００５７】
上記第２の状態においては、第１のスイッチ１５、第２のスイッチ１６共にＯＦＦとなっており、表１に示すように携帯情報端末は、図示しない制御回路によって表示手段８を横長にて表示させる。
【００５８】
上記第２の状態から、第１のケース１１の長辺を第２のケース１７の長辺に対してα方向に更に略９０°回動した状態である第３の状態の場合には、図１１に示すようにｅ-リング４のＶ字溝４ａが、板金部材２の球形凸部２ｄと接触、上記板金部材２がたわみ、押圧することで、第１のケース１１を所定の停止位置に回動停止させる。
【００５９】
上記第３の状態においては、第１のスイッチ１５はＯＦＦ、第２のスイッチ１６はＯＮとなっており、表１に示すように携帯情報端末は、図示しない制御回路によって表示手段８の表示面を縦長にて表示させる。
【００６０】
実施の形態２
実施の形態１では、第１のケース１１及び第２のケース１７を略長方体に形成していたが、支持部６を突出させた実施の形態２について図１２〜図１４を用いて説明する。なお、構成については上記実施の形態１と同様のため、その符号の説明を省略する。
【００６１】
図１２は、第１のケース１１と第２のケース１７とが略重ね合わされた状態、即ち、第１のケースの長辺が第２のケースの長辺に対して略０°である状態を示す外観図である。この状態では、図９に示すような支持部６の各構成部材の位置関係によって、携帯情報端末は、表１に示す第１の状態となって、待ち受け状態となり、待ち受け画面が表示されることとなる。
【００６２】
この場合、第１の状態においても、表示手段８の表示面を見ることができるため、携帯情報端末を回動させることなく、多くの着信情報を容易に確認することができる。また、撮像手段９及び入力手段１９が外面に露出していないため、携帯時の撮像手段９の傷・汚れを防止できると共に、入力手段１９の誤入力も防止できる。
【００６３】
図１３は、第１のケース１１の長辺を第２のケース１７の長辺に対して、α方向に略９０°回動した状態を示す外観図である。この状態では、図１０に示すような支持部６の各構成部材の位置関係によって携帯情報端末は第２の状態となるので、表１に示すように、図示しない制御回路によって表示手段８の表示面を横長にて表示させる。
【００６４】
上記第２の状態の携帯情報端末においては、支持部６の回動軸２３と撮像手段９の撮像光軸２９とが離隔して、撮像手段９が表示手段８の表示面の裏面側に配置されているため、撮像光軸２９が表示手段８の表示面の裏面側から露出し、Ｚ方向の撮影が可能となる。
【００６５】
また、携帯情報端末本体を傾けることなく、第１のケース１１を回動させて横長に表示させることができるので、撮影画像等の従来から横長表示が多用されている使用法を実現することができる。
【００６６】
また、第１のケース１１に表示手段８の表示エリア８ａの長辺と撮像手段９の撮像エリア９ｄの長辺とが略平行に配置されているので、撮像画素数を間引くことなく、撮像手段９により撮像されたほぼ全ての画像を表示手段８の表示エリア８ａに表示することができる。
【００６７】
図１４は第１のケース１１の長辺を第２のケース１７の長辺に対して、α方向に更に略９０°回動した状態を示す外観図である。この状態では、図１１に示すような支持部６の各構成部材の位置関係によって携帯情報端末は第３の状態となるので、表１に示すように、図示しない制御回路によって表示手段８の表示面を縦長にて表示させる。
【００６８】
上記第３の状態の携帯情報端末においては、支持部６の回動軸２３と撮像手段９の撮像光軸２９とが離隔して、撮像手段９が表示手段８の表示面の裏面側に配置されているため、撮像光軸２９が表示手段８の表示面の裏面側から露出し、Ｚ方向の撮影が可能となる。
【００６９】
また、携帯情報端末本体を傾けることなく、第１のケース１１を回動させて縦長に表示させることができるので、文字情報等、従来の携帯情報端末において縦長表示が多用されている使用法を実現することができる。
また、撮像手段９を使用する際、横長撮影、縦長撮影での切り替えに伴って、撮影された画像を画像メモリ上で画像処理によってローテーションさせる必要がなく、利便性が高い。
【００７０】
また、第１のケース１１に表示手段８の表示エリア８ａの長辺と撮像手段９の撮像エリア９ｄの長辺とが略平行に配置されているので、撮像画素数を間引くことなく、撮像手段９により撮像されたほぼ全ての画像を表示手段８の表示エリア８ａに表示することができる。
【００７１】
また、支持部６が上記第１のケース１１及び第２のケース１７から突出した形に形成されているので、第１のケース１１及び第２のケース１７が重ね合わされた状態の携帯情報端末をよりコンパクトにすることができる。また、デザイン面からも優れているため、携帯情報端末の形態に対してユーザーの好みが多様化している近年の傾向に合致させることができる。
【００７２】
更に、第２のケース１７中の入力手段１９以外のスペースに、ハンズフリーや音楽鑑賞、着信報知音発信等のためのスピーカー３０、及び／又はアンテナ等を設置することにより、他の機能を付加することができる。この場合、ハンズフリーを目的としてスピーカー３０を設置する場合、図１４に示したように、携帯情報端末の内面側に設置することができる。また、所望の着信報知音を発するようにスピーカーを設置する場合には、携帯情報端末の外面側に設置することができる。
【００７３】
実施の形態３
実施の形態１、２では、第１のケース１１と第２のケース１７とが支持部を介して連結されたものであって、第１のケース１１を第２のケース１７に対してα方向に回動させることで表示手段８の使用形式（縦長・横長）を選択していたが、第１のケース１１と第２のケース１７とが、支持部６、後述する第３のケース２４及びヒンジ部２５を介して連結されたものであって、上記ヒンジ部２５は、上記第２のケース１７と上記第３のケース２４とを連結するものであり、上記支持部６は、更に、上記第３のケース２４を支持する実施の形態３について、図１５から図２１を用いて説明する。
【００７４】
図１５は第２の状態を示す斜視図である。図１５において２４は第３のケースであり、第１のケース１１はα方向に回動自在に支持されている。上記第１のケース１１と第２のケース１７とは、支持部６、第３のケース２４及びヒンジ部２５を介して連結されている。また、上記第３のケース２４は上記第２のケース１７に対し、ヒンジ部２５のヒンジ軸２６を回動軸として、β方向に回動自在に支持されている。
【００７５】
上記実施の形態３においては、第３のケース２４が据え付けられており、第１のケース１１、第２のケース１７及び第３のケース２４が重ね合わされた状態の携帯情報端末をよりコンパクトにすることができる。また、上記第３のケース２４には、スピーカー３０やアンテナ等を設置することにより、他の機能を付加することも可能である。
【００７６】
図１６は、第１のケース１１、第２のケース１７及び第３のケース２４が略重ね合わされた状態を示す斜視図、図１７はこの時のヒンジ部２５の各構成部材の位置関係を示す斜視図である。この状態では、支持部６の各構成部材は図９に示すような位置関係となっている。図１７においては、回転子２７のＶ字溝２７ａが、板金部材２８に設けられた、回転子２７の方向に凸である球形凸部２８ａと接触、上記板金部材２８がたわみ、押圧することで、第３のケース２４を所定の停止位置に停止させる。
【００７７】
図１６の状態においては、第１のケース１１、第２のケース１７及び第３のケース２４が略重ね合わされているので、表示手段８、撮像手段９及び入力手段１９がそれぞれ携帯情報端末の外面に露出しておらず、携帯時の表示手段８、撮像手段９の傷・汚れを防止できると共に入力手段１９の誤入力も防止できる。従って、この実施の形態３は、表示手段８の表示エリア８ａが大きいために携帯時の傷・汚れを特に防止する必要性が見込まれるＰＤＡ等において、好適に適用することができる。更に、表示手段８が携帯情報端末の内面側に位置しているので、表示手段８を駆動する必要がなく、待機電力を低減することができる。
【００７８】
また、携帯情報端末を回動させることなく最低限必要な着信情報を確認するために、表示面積が表示手段８よりも小さい表示手段（図示しない）を、携帯情報端末の外面であって第３のケース２４上に設けることも可能である。
【００７９】
図１８は、第１のケース１１と第３のケース２４とを略重ね合わせて、第３のケース２４を第２のケース１７に対してβ方向に回動した状態、即ち、第１のケース１１の長辺が第２のケース１７の長辺に対して略０°である第１の状態を示す正面図である。この状態では、支持部６の各構成部材は図９に示すような位置関係となっている。このとき携帯情報端末は、表１に示す第１の状態となって、待ち受け状態となり、待ち受け画面が表示されることとなる。
【００８０】
図１９は、この時のヒンジ部２５の各構成部材の位置関係を示す斜視図である。図１９においては、回転子２７のＶ字溝２７ｂが、板金部材２８の球形凸部２８ａと接触、上記板金部材２８がたわみ、押圧することで、第３のケース２４を所定の停止位置に回動停止させる。
【００８１】
図１８の状態においては、表示手段８の表示面を見ることができるため、多くの着信情報を確認することができる。実施の形態３においては、この状態での入力手段１９の使用により、文字入力、電子メールの使用、撮影された画像データの通信や編集処理等を行うようにすることも可能である。
また、第１のケース１１と第３のケース２４とは略重ね合わされた状態にあるので、撮像手段９は露出しておらず、撮像手段９の傷・汚れを防止できる。
【００８２】
図２０は、図１８に示した状態から第１のケース１１が第２のケース１７に対して、α方向に略９０°回動した状態を示す正面図である。この状態では、支持部６の各構成部材は図１０に示すような位置関係によって、携帯情報端末は第２の状態となるので、表１に示すように携帯情報端末は、図示しない制御回路によって表示手段８の表示面を横長にて表示させる。
【００８３】
上記第２の状態の携帯情報端末においては、支持部６の回動軸２３と撮像手段９の撮像光軸２９とが離隔して、撮像手段９が表示手段８の表示面の裏面側に配置されているため、撮像光軸２９が表示手段８の表示面の裏面側から露出し、Ｚ方向の撮影が可能となる。
【００８４】
また、携帯情報端末本体を傾けることなく、第１のケース１１を回動させ横長に表示させることで、撮影画像等の従来から横長表示が多用されている使用法を実現することができる。
【００８５】
また、第１のケース１１に表示手段８の表示エリア８ａの長辺と撮像手段９の撮像エリア９ｄの長辺とが略平行に配置されているので、撮像画素数を間引くことなく、撮像手段９により撮像されたほぼ全ての画像を表示手段８の表示エリア８ａに表示することができる。
【００８６】
図２１は、図２０に示した状態から第１のケース１１が第２のケース１７に対して、α方向に更に略９０°回動した状態を示す正面図である。この状態では、支持部６の各構成部材は図１１に示すような位置関係によって、携帯情報端末は第３の状態となるので、表１に示すように携帯情報端末は、図示しない制御回路によって表示手段８の表示面を縦長にて表示させる。
【００８７】
上記第３の状態の携帯情報端末においては、支持部６の回動軸２３と撮像手段９の撮像光軸２９とが離隔して、撮像手段９が表示手段８の表示面の裏面側に配置されているため、撮像光軸２９が表示手段８の表示面の裏面側から露出し、Ｚ方向の撮影が可能となる。
【００８８】
また、携帯情報端末本体を傾けることなく、第１のケース１１を回動させて縦長に表示させることができるので、文字情報等、従来の携帯情報端末において縦長表示が多用されている使用法を実現することができる。
また、撮像手段９を使用する際、横長撮影、縦長撮影での切り替えに伴って、撮影された画像を画像メモリ上で画像処理によってローテーションさせる必要がなく、利便性が高い。
【００８９】
また、第１のケース１１に表示手段８の表示エリア８ａの長辺と撮像手段９の撮像エリア９ｄの長辺とが略平行に配置されているので、撮像画素数を間引くことなく、撮像手段９により撮像されたほぼ全ての画像を表示手段８の表示エリア８ａに表示することができる。
【００９０】
【発明の効果】
本発明の携帯情報端末は、表示手段と、撮像手段とを保持する第１のケースと、入力手段を保持する第２のケースと、上記第１のケースを回動せしめ、かつ、上記回動軸の方向が上記表示手段に略垂直である支持部とを有し、撮像手段の受光手段の長辺と表示手段の長辺とが略平行であるものなので、該撮像手段を使用する際、横長撮影、縦長撮影での切り替えに伴って、撮影された画像を画像メモリ上で画像処理によってローテーションさせる必要がなく、利便性が高い。
【図面の簡単な説明】
【図１】  本発明の実施の形態１における、携帯情報端末の第１のケース及び第２のケースが略重ね合わされた状態を示す外観図である。
【図２】  本発明の実施の形態１における、携帯情報端末の第１のケース及び第２のケースが略重ね合わされた状態での分解斜視図である。
【図３】  本発明の各実施の形態における、第１のケースの表示手段の表示エリアと撮像手段の撮像エリアとの関係を示した正面図である。
【図４】  本発明の実施の形態１における、携帯情報端末の第１の状態を示す正面図である。
【図５】  本発明の実施の形態１における、携帯情報端末の第２の状態を示す正面図である。
【図６】  本発明の実施の形態１における、携帯情報端末の第３の状態を示す正面図である。
【図７】  本発明の各実施の形態における、支持部の構成を示す分解斜視図である。
【図８】  本発明の実施の形態１における、携帯情報端末の第１のケース及び第２のケースが略重ね合わされた状態での分解斜視図である。
【図９】  本発明の各実施の形態における、携帯情報端末の支持部の第１の状態を示す斜視図である。
【図１０】  本発明の各実施の形態における、携帯情報端末の支持部の第２の状態を示す斜視図である。
【図１１】  本発明の各実施の形態における、携帯情報端末の支持部の第３の状態を示す斜視図である。
【図１２】  本発明の実施の形態２における、携帯情報端末の第１の状態を示す正面図である。
【図１３】  本発明の実施の形態２における、携帯情報端末の第２の状態を示す正面図である。
【図１４】  本発明の実施の形態２における、携帯情報端末の第３の状態を示す正面図である。
【図１５】  本発明の実施の形態３における、携帯情報端末の第２の状態を示す斜視図である。
【図１６】  本発明の実施の形態３における、携帯情報端末の第１のケース、第２のケース及び第３のケースが略重ね合わされた状態を示す斜視図である。
【図１７】  本発明の実施の形態３における、携帯情報端末の第１のケース、第２のケース及び第３のケースが略重ね合わされた状態のヒンジ部を示す斜視図である。
【図１８】  本発明の実施の形態３における、携帯情報端末の第１のケースと第３のケースとを略重ね合わせて第３のケースをβ方向に回動した状態を示す正面図である。
【図１９】  本発明の実施の形態３における、携帯情報端末の第１のケースと第３のケースとを略重ね合わせて第３のケースをβ方向に回動した状態でのヒンジ部を示す斜視図である。
【図２０】  本発明の実施の形態３における、携帯情報端末の第２の状態を示す正面図である。
【図２１】  本発明の実施の形態３における、携帯情報端末の第３の状態を示す正面図である。
【図２２】  従来の撮像手段を備えた携帯情報端末の構成を示す正面図である。
【図２３】  従来の折りたたみ型携帯情報端末の構成を示す斜視図である。
【符号の説明】
１  ベース、２  板金部材、２ｂ、２ｃ、２ｄ  球形凸部、３  ローテータ、４  ｅ−リング、４ａ  Ｖ字溝、５  ＦＰＣ、６  支持部、７  第１の基板、８表示手段、９  撮像手段、１０  第１のコネクタ、１１  第１のケース、１２第１のケースカバー、１３  第２の基板、１４  第２のコネクタ、１５  第１のスイッチ、１６  第２のスイッチ、１７  第２のケース、１８  第２のケースカバー、１９  入力手段、２０ａ  第１のネジ、２０ｂ  第２のネジ、２１  受話手段、２２  送話手段、２３  支持部の回動軸、２４  第３のケース、２５  ヒンジ部、２６  ヒンジ軸、２７  回転子、２７ａ、２７ｂ  Ｖ字溝、２８  板金部材、２８ａ  球形凸部、２９  撮像光軸、３０  スピーカー。
【図１】
0003770146.tif 000003
【図２】
0003770146.tif 000004
【図３】
0003770146.tif 000005
【図４】
0003770146.tif 000006
【図５】
0003770146.tif 000007
【図６】
0003770146.tif 000008
【図７】
0003770146.tif 000009
【図８】
0003770146.tif 000010
【図９】
0003770146.tif 000011
【図１０】
0003770146.tif 000012
【図１１】
0003770146.tif 000013
【図１２】
0003770146.tif 000014
【図１３】
0003770146.tif 000015
【図１４】
0003770146.tif 000016
【図１５】
0003770146.tif 000017
【図１６】
0003770146.tif 000018
【図１７】
0003770146.tif 000019
【図１８】
0003770146.tif 000020
【図１９】
0003770146.tif 000021
【図２０】
0003770146.tif 000022
【図２１】
0003770146.tif 000023
【図２２】
0003770146.tif 000024
【図２３】
0003770146.tif 000025